(57)【要約】【課題】  外部への水の流出を確実に防止して、かつ、未使用時には分解および折畳みができて嵩張ることがなく、しかも、形態を安定に保ちながら使用することもできる切り花運搬用の組立式保水具を提供すること。【解決手段】  中空容器本体１を、可撓性合成樹脂をブロー成形して構成して、かつ、サイコロ型の収容部10を備え、各側面部11には、それぞれ対角線に沿って折曲スリット11ａを成形し、前記収容部10の開口部12ａ縁部に沿って延成した耳部12ｂを内方に折り返して容器内部に水返し部を作出可能にして、この中空容器本体１を、収容部10を捻ることにより各側面部11の折曲スリット11ａに沿って折り曲げられ、上面部12と底面部13とが近接して折り畳み可能にする一方、外装容器２の内周面各辺の少なくとも一部に、前記中空容器本体１の各側面部11がそれぞれ当接するように収容して構成するという技術的手段を採用した。【選択図】  図７
2009007045.tif 000002
【特許請求の範囲】
【請求項１】
切り花Ｆを運搬するための保水用の器具であって、
切り花Ｆの茎先端側に配置される保水用の中空容器本体１は、可撓性合成樹脂をブロー成形して構成され、かつ、サイコロ型の収容部10を備え、この収容部10の各側面部11には、それぞれ対角線に沿って折曲スリット11ａが成形されており、
前記収容部10の上面部12には開口部12ａが形成され、この開口部12ａ縁部に沿って耳部12ｂが延成され、この耳部12ｂを内方に折り返して容器内部に水返し部を作出可能であり、
この中空容器本体１は、収容部10を捻ることにより各側面部11の折曲スリット11ａに沿って折り曲げられ、上面部12と底面部13とが近接して折り畳み可能である一方、
外装容器２は略矩形断面を有する略直方体状の有底箱体であって、この外装容器２の内周面各辺の少なくとも一部に、前記中空容器本体１の各側面部11がそれぞれ当接するように収容して構成されていることを特徴とする切り花運搬用の組立式保水具。
【請求項２】
中空容器本体１の側面部11の上方に補強突起11ｂが形成されており、この補強突起11ｂによって、開口部12ａ近傍の変形を防止することを特徴とする請求項１記載の切り花運搬用の組立式保水具。
【請求項３】
各側面部11の折曲スリット11ａが容器内方に隆起して成形されていることを特徴とする請求項１または２記載の切り花運搬用の組立式保水具。
【請求項４】
中空容器本体１が、ポリオレフィン系合成樹脂材料をブロー成形して中空成形されていることを特徴とする請求項１〜３の何れか一つに記載の切り花運搬用の組立式保水具。
【請求項５】
中空容器本体１の側面部11が膨出しており、外装容器２の内周面各辺の少なくとも一部にそれぞれ当接することを特徴とする請求項１〜４の何れか一つに記載の切り花運搬用の組立式保水具。
【発明の詳細な説明】
【技術分野】
【０００１】
本発明は、切り花の運搬用具の改良、更に詳しくは、外部への水の流出を確実に防止して、かつ、未使用時には分解および折畳みができて嵩張ることがなく、しかも、形態を安定に保ちながら使用することもできる切り花運搬用の組立式保水具に関するものである。
【背景技術】
【０００２】
周知のとおり、贈り物などに用いられる切り花を運搬するにあっては、鮮度を保つために茎の先端側を常に水に浸した状態にしておく必要がある。
【０００３】
従来、切り花を運搬するにあっては、茎側に水を入れた容器を包装箱の底面に配置可能なものが開示されている（例えば、特許文献１参照）。
【０００４】
しかしながら、かかる容器は大量に使用されるため、相当数の在庫をストックしておかねばならないのであるが、かかる形状では未使用時に積み重ねたとしても、容器部分の容積がほとんど変わらず、不可避的に嵩張って、スペースを占拠してしまうという不満があった。
【０００５】
また、かかる容器は中空であるために形態が不安定であり、使用時に不意に外力を受けることによって容易に変形してしまうという問題があった。
【特許文献１】特開２００３−２９２０７７号公報（第３−５頁、図１−９）
【発明の開示】
【発明が解決しようとする課題】
【０００６】
本発明は、従来の運搬容器に上記のような問題があったことに鑑みて為されたものであり、外部への水の流出を確実に防止して、かつ、未使用時には分解および折畳みができて嵩張ることがなく、しかも、形態を安定に保ちながら使用することもできる切り花運搬用の組立式保水具を提供することを技術的課題とする。
【課題を解決するための手段】
【０００７】
本発明者が上記課題を解決するために採用した手段を添付図面を参照して説明すれば次のとおりである。
【０００８】
即ち、本発明は、切り花Ｆを運搬するための保水用の器具であって、切り花Ｆの茎先端側に配置される保水用の中空容器本体１を、可撓性合成樹脂をブロー成形して構成して、かつ、サイコロ型の収容部10を備え、この収容部10の各側面部11には、それぞれ対角線に沿って折曲スリット11ａを成形し、前記収容部10の上面部12には開口部12ａを形成して、この開口部12ａ縁部に沿って耳部12ｂを延成し、この耳部12ｂを内方に折り返して容器内部に水返し部を作出可能にして、
この中空容器本体１を、収容部10を捻ることにより各側面部11の折曲スリット11ａに沿って折り曲げられ、上面部12と底面部13とが近接して折り畳み可能にする一方、
外装容器２は略矩形断面を有する略直方体状の有底箱体であって、この外装容器２の内周面各辺の少なくとも一部に、前記中空容器本体１の各側面部11がそれぞれ当接するように収容して構成するという技術的手段を採用した。
【０００９】
また、本発明は、上記課題を解決するために、必要に応じて上記手段に加え、中空容器本体１の側面部11の上方に補強突起11ｂを形成して、この補強突起11ｂによって、開口部12ａ近傍の変形を防止するという技術的手段を採用した。
【００１０】
更にまた、本発明は、上記課題を解決するために、必要に応じて上記手段に加え、各側面部11の折曲スリット11ａを容器内方に隆起して成形するという技術的手段を採用した。
【００１１】
更にまた、本発明は、上記課題を解決するために、必要に応じて上記手段に加え、中空容器本体１を、ポリオレフィン系合成樹脂材料をブロー成形して中空成形するという技術的手段を採用した。
【００１２】
更にまた、本発明は、上記課題を解決するために、必要に応じて上記手段に加え、中空容器本体１の側面部11を膨出させ、外装容器２の内周面各辺の少なくとも一部にそれぞれ当接させるという技術的手段を採用した。
【発明の効果】
【００１３】
本発明においては、切り花の茎先端側に配置される保水用の中空容器本体を、可撓性合成樹脂をブロー成形して構成して、かつ、サイコロ型の収容部を備え、この収容部の各側面部には、それぞれ対角線に沿って折曲スリットを成形し、前記収容部の上面部には開口部を形成して、この開口部縁部に沿って耳部を延成したことにより、この耳部を内方に折り返して容器内部に水返し部を作出することができるので、誤って転倒しても外部への水の流出を確実に防止することができる。
【００１４】
また、この中空容器本体は、収容部を捻ることにより各側面部の折曲スリットに沿って折り曲げられ、上面部と底面部とを近接せしめて折り畳み可能である一方、外装容器は略矩形断面を有する略直方体状の有底箱体であって、この外装容器の内周面各辺の少なくとも一部にそれぞれ当接するように前記中空容器本体を収容することができるので、未使用時には分解および折畳みができて嵩張ることがなく、しかも、形態を安定に保ちながら使用することもできることから、実用的利用価値は頗る高いものがある。
【発明を実施するための最良の形態】
【００１５】
本発明を実施するための最良の形態を具体的に図示した図面に基づいて更に詳細に説明すると、次のとおりである。
【００１６】
本発明の実施形態を図１から図８に基づいて説明する。図中、符号１で指示するものは中空容器本体であり、この中空容器本体１は、可撓性合成樹脂をブロー成形して構成した容器である。本実施形態では、この中空容器本体１を、ポリオレフィン系合成樹脂材料をブロー成形して中空成形する（図１参照）。本実施形態では、ポリオレフィン系合成樹脂材料として低密度ポリエチレンを採用し、厚みを約０．２〜０．７ｍｍ程度にする。
【００１７】
また、この中空容器本体１は、サイコロ型の収容部10を備え、この収容部10の各側面部11には、それぞれ対角線に沿って折曲スリット11ａが成形されている。本実施形態では、この折曲スリット11ａを容器内方に隆起して成形することにより、ブロー成形時に同時に作製できる。
【００１８】
そして、前記収容部10の上面部12には開口部12ａを形成する。この開口部12ａは、一旦収容部10をブロー成形した後に、当該部分を切り抜いて開設する。そして、この開口部12ａ縁部に沿って耳部12ｂを延成し、この耳部12ｂを内方に折り返して容器内部に水返し部を作出することができる（図２参照）。
【００１９】
こうすることにより、図３に示すように、誤って転倒したときのように、保持具が横たわったとしても、耳部12ｂによる水返し部によって、外部への水の流出を確実に防止することができる。
【００２０】
なお、本実施形態では、中空容器本体１の上面部12側の側壁に補強突起12ｃを形成することができ、この補強突起12ｃによって、開口部12ａ近傍に剛性を付与することができ、変形を防止することができる。
【００２１】
また、符号２で指示するものは外装容器であり、この外装容器２は、図４に示すように、略矩形断面を有する略直方体状の有底箱体であり、本実施形態では、段ボール紙を使用材料として、適宜折り畳み可能に作製する。
【００２２】
しかして、本発明は、切り花Ｆを運搬するための保水用の器具であって、中空容器本体１と外装容器２とから構成される。まず、中空容器本体１を組み立てる。中空容器本体１は、図１および図２に示すように、収容部10をサイコロ型にして内部に所要量の水を入れることができる。
【００２３】
なお、未使用時には、図５に示すように、収容部10を捻ることにより各側面部11の折曲スリット11ａに沿って折り曲げられ、上面部12と底面部13とが近接して折り畳み可能である。
【００２４】
次いで、外装容器２の内周面各辺の少なくとも一部に、前記中空容器本体１の各側面部11をそれぞれ当接するように収容することができ（図６参照）、こうして構成された運搬用保水具に水を入れて、所定の切り花Ｆを収容して運搬することができる（図７参照）。
【００２５】
この際、図８に示すように、中空容器本体１は、捻ることによって組み立てが可能なのであるが、この捻り時においては、必ずその外形の断面形状が矩形ではなくなるので、各側面部11が外装容器２の内周面に接合して収容されている状態では、この外装容器２の内部において捻られることがない。したがって、使用中は容器の形態を非常に安定的に保つことができるのである。
【００２６】
なお、中空容器本体１の側面部11を膨出させ、外装容器２の内周面各辺の少なくとも一部にそれぞれ当接させることもできる。こうすることにより、この膨出した側面部11を外装容器２の内周面に対して弾性的に内接することができるので、外装容器２と側面部11との間に隙間ができている場合であっても、中空容器本体１を安定的に収容することができる。
【００２７】
本発明は概ね上記のように構成されるが、図示の実施形態に限定されるものでは決してなく、「特許請求の範囲」の記載内において種々の変更が可能であって、例えば、中空容器本体１の使用材料は、低密度ポリエチレンに限らず、ポリエチレンテレフタレート（ＰＥＴ）やエチレン酢酸ビニルアルコール重合体（ＥＶＡ）、塩化ビニル（ＰＶＣ）、ナイロンなどの樹脂材料を採用することができ、何れのものも本発明の技術的範囲に属する。
【図面の簡単な説明】
【００２８】
【図１】本発明の実施形態の中空容器本体を表わす全体斜視図である。
【図２】本発明の実施形態の中空容器本体を表わす全体斜視図である。
【図３】本発明の実施形態の中空容器本体を表わす全体側面図である。
【図４】本発明の実施形態の外装容器を表わす全体斜視図である。
【図５】本発明の実施形態の中空容器本体の折り畳み状態を表わすを表わす全体側面図である。
【図６】本発明の実施形態の中空容器本体と外装容器と接合した状態を表わす全体上面図である。
【図７】本発明の実施形態の保水具の使用状態を表わす全体斜視図である。
【図８】本発明の実施形態の中空容器本体を折り畳む際の変形状態を表わす説明上面図である。
【符号の説明】
【００２９】
１    中空容器本体
10    収容部
11    側面部
11ａ  折曲スリット
11ｂ  補強突起
12    上面部
12ａ  開口部
12ｂ  耳部
13    底面部
２    外装容器
Ｆ    切り花
【図１】
2009007045.tif 000003
【図２】
2009007045.tif 000004
【図３】
2009007045.tif 000005
【図４】
2009007045.tif 000006
【図５】
2009007045.tif 000007
【図６】
2009007045.tif 000008
【図７】
2009007045.tif 000009
【図８】
2009007045.tif 000010